(57)【要約】【課題】巻真の耐衝撃性を格段に向上させることができる時計を提供すること。【解決手段】時計１を、ケース３と、ケース３内に収容されるムーブメント４と、一端がムーブメント４に回転自在に支持される巻真７と、巻真７の一端側に取り付けられる竜頭６と、竜頭６に設けられた竜頭軸６１が回転自在に挿入される巻真パイプ１０とを備えて構成し、巻真パイプ１０を、弾性を有した弾性部材８を介してケース３に支持させた。この構成により、巻真７の竜頭６が取り付けられた端部側は結果的に、竜頭軸６１、巻真パイプ１０、および弾性部材８を介してケース３に支持されることになり、ケース３とムーブメント４との間で位置ずれ生じても、この位置ずれを弾性部材の弾性変形により許容でき、巻真７に生じる剪断応力を軽減して折れるのを防止でき、巻真７の耐衝撃性を向上させることができる。【選択図】図１
2010249716.tif 000002
【特許請求の範囲】
【請求項１】
ケースと、
ケース内に収容されるムーブメントと、
一端がムーブメントに回転自在に支持される巻真と、
前記巻真の他端側に取り付けられる竜頭と、
前記竜頭に設けられた竜頭軸が回転自在に挿入される筒状部材とを備え、
前記筒状部材は、弾性を有した弾性部材を介して前記ケースに支持される
ことを特徴とする時計。
【請求項２】
請求項１に記載の時計において、
前記筒状部材に一体に取り付けられるシール面形成部材を備え、
前記シール面形成部材と前記ケースとの対向面間にはパッキンが介装される
ことを特徴とする時計。
【請求項３】
請求項２に記載の時計において、
前記シール面形成部材は、前記ケースの外部に設けられ、
前記ケースの外表面とこれに対向する前記シール面形成部材の対向面との間に前記パッキンが介装される
ことを特徴とする時計。
【請求項４】
請求項２に記載の時計において、
前記シール面形成部材は、前記ケースの内部に設けられ、
前記ケースの内表面とこれに対向する前記シール面形成部材の対向面との間に前記パッキンが介装される
ことを特徴とする時計。
【発明の詳細な説明】
【技術分野】
【０００１】
本発明は、時計に係り、特に竜頭周りでのケース構造の改良に関する。    
【背景技術】
【０００２】
アナログ式の腕時計には、一端がムーブメントに組み込まれ、他端がケース外方に設けられた竜頭と連結される巻真が用いられる。このような巻真は細い棒状部材であるため、衝撃等によりムーブメントとケースとの位置的な位相がずれた場合には、剪断方向に大きな負荷がかかり、折れる可能性が高い。
このため、従来では、竜頭にプロテクタを取り付けることにより、この竜頭を介して作用する巻真への衝撃を防ぐことが提案されている（例えば、特許文献１，２）。  
【先行技術文献】
【特許文献】
【０００３】
【特許文献１】特開平６−７６８８１号公報
【特許文献２】特開２０００−３２９８６７号公報
【発明の概要】
【発明が解決しようとする課題】
【０００４】
しかしながら、前記特許文献１，２で提案されている構造では、巻真への軸方向への衝撃は軽減されるが、剪断方向の衝撃には効果がないという問題がある。すなわち、竜頭は、巻真パイプ等によって軸方向への動き、および軸方向を中心とした回転動のみが許容されているだけであるから、ケース内でムーブメントが位置ずれした場合に、竜頭がそのずれに追従できず、巻真が折れるのを確実に防止できないのである。
【０００５】
本発明の目的は、巻真の耐衝撃性を格段に向上させることができる時計を提供することにある。
【課題を解決するための手段】
【０００６】
本発明の時計は、ケースと、ケース内に収容されるムーブメントと、一端がムーブメントに回転自在に支持される巻真と、前記巻真の他端側に取り付けられる竜頭と、前記竜頭に設けられた竜頭軸が回転自在に挿入される筒状部材とを備え、前記筒状部材は、弾性を有した弾性部材を介して前記ケースに支持されることを特徴とする。
【０００７】
本発明によれば、一端がムーブメントに支持された巻真は、竜頭が取り付けられる他端側において、竜頭軸、筒状部材、および弾性部材を介してケースに支持されることになるから、ケースに外力が作用した際のケースとムーブメントとの位置的な位相差を弾性部材が弾性変形することで許容できる。従って、巻真においては、ケースとムーブメントとの位置ずれによる剪断応力の発生を抑制でき、折れるのを確実に防止して耐衝撃性を格段に向上させることができる。
【０００８】
本発明の時計において、前記筒状部材に一体に取り付けられるシール面形成部材を備え、前記シール面形成部材と前記ケースとの対向面間にはパッキンが介装されることを特徴とする。
本発明によれば、シール面形成部材とケースとの対向面をパッキンにて確実にシールでき、防水性を確保できる。
【０００９】
本発明の時計においては、前記シール面形成部材は、前記ケースの外部に設けられ、前記ケースの外表面とこれに対向する前記シール面形成部材の対向面との間に前記パッキンが介装されてもよい。
本発明によれば、シール面形成部材がケースの外部に設けられて露出するため、内部での位置ずれが弾性部材の復元力によっても回復されない場合などには、位置がずれたままであることをケースに対する竜頭の位置ずれだけでなく、シール面形成部材の位置ずれとしても外部から視認でき、メンテナンスを促すことができる。
【００１０】
本発明の時計においては、前記シール面形成部材は、前記ケースの内部に設けられ、前記ケースの内表面とこれに対向する前記シール面形成部材の対向面との間に前記パッキンが介装されてもよい。
本発明によれば、シール面形成部材がケースの内部に配置されることにより、パッキンにてシールされる互いの対向面もケースの内部に存在することになるので、対向面間に汚れ等が付着しにくくなり、シール性を良好に維持できる。
【発明の効果】
【００１１】
本発明によれば、ケースとムーブメントとの位置ずれを、巻真の竜頭が取り付けられた端部側の弾性部材が弾性変形することで許容できるので、巻真には位置ずれによる剪断応力を生じにくくでき、巻真が折れるのを防止できるという効果がある。
【図面の簡単な説明】
【００１２】
【図１】本発明の第１実施形態に係る時計の要部を示す断面図。
【図２】時計の要部を示す斜視図。
【図３】時計の要部を示す平面図。
【図４】本発明の第２実施形態に係る時計の要部を示す断面図。
【図５】時計の要部を示す斜視図。
【図６】時計の要部を示す平面図。
【図７】本発明の第３実施形態に係る時計の要部を示す断面図。
【図８】本発明の第４実施形態に係る時計の要部を示す断面図。
【図９】（Ａ）〜（Ｈ）は、本発明に係る弾性部材の変形例を示す断面図。
【発明を実施するための形態】
【００１３】
以下、本発明の第１、第２実施形態を図面に基づいて説明する。なお、後述する第２実施形態以降において、次説する第１実施形態での部材と同一部材および同じ機構を有する部材には、第１実施形態と同符号を付してその説明を省略または簡略化する。
【００１４】
［第１実施形態］
図１は、本発明の第１実施形態に係る時計１の要部を示す断面図である。
図１において、時計１は、例えば複数の指針２（一部のみを図示）を有した機械時計、電子時計、電子制御式機械時計などであり、ケース３と、ケース３内に配置されて指針２が取り付けられるムーブメント４と、ムーブメント４の図１中の上方側に取り付けられる文字板５とを備え、文字板５がケース３の縁部材３１に設けられた見切り３２の下面に当接されている。
【００１５】
ケース３の上方側の開口部分は縁部材３２に取り付けられた風防ガラス３３で塞がれ、下方側の開口部分は裏蓋３４で塞がれている。ケース３の側部外方には竜頭６が配置されている。竜頭６は、一端がムーブメント４に組み込まれた巻真７の他端に取り付けられる。ケース３を構成している胴３５には、内外を貫通する貫通孔３６が設けられている。
【００１６】
貫通孔３６内には環状の弾性部材８が配置されている。弾性部材８と貫通孔３６の内周面との間は、胴３５に取り付けられたパッキン３７によってシールされている。貫通孔３６の外方の開口部分は、胴３５の外部に配置されたシール面形成部材としてのスライダー９によって塞がれている。スライダー９と胴３５の外表面との間、つまり互いの対向面９Ａ，３５Ａ間は、スライダー９に取り付けられたパッキン９１でシールされる。なお、本実施形態では、パッキン３７，９１の両方が用いられているが、いずれか一方を省略してもよい。
【００１７】
ここで、胴３５には、図２および図３に示すように、貫通孔３６に対応した位置で、かつ胴３５の厚さ方向に連続した嵌合溝３８が設けられている。嵌合溝３８の幅方向の両側には、厚さ方向に沿ってガイド片３８Ａが設けられている。
【００１８】
一方、スライダー９の平面形状は嵌合溝３８に嵌合する扁平凸形状とされ、このスライダー９が嵌合溝３８に嵌合してガイド片３８Ａにガイドされながら摺動する。スライダー９の外側面は、胴３５の側面と連続しており、一体感のあるデザインとされている。スライダー９にも、弾性部材８側の挿通孔８１に対応した挿通孔９２が設けられている。
【００１９】
スライダー９の挿通孔９２には、弾性部材８の挿通孔８１に跨る筒状部材としての巻真パイプ１０が圧入されている。このことにより、巻真パイプ１０が弾性部材８を介して胴３５に支持される。また、スライダー９の挿通孔９２回りには段差部９３が設けられ、段差部９３が胴３５の貫通孔３６内縁に当接することで、スライダー９の厚さ方向への摺動量が規制され、嵌合溝３８からの抜けが防止される。
【００２０】
巻真パイプ１０内には、竜頭６に設けられた竜頭軸６１が挿通され、竜頭軸６１の先端には、巻真７の外方の端部が螺合している。従って、巻真７の竜頭６が取り付けられた端部側が結果的に、竜頭軸６１、巻真パイプ１０、および弾性部材８を介して胴３５に支持されることになる。
【００２１】
竜頭軸６１の外周に設けられた係合溝６２には樹脂リング６３が係合されている。樹脂リング６３は、竜頭軸６１と巻真パイプ１０との間をシールするとともに、それぞれの軸中心を一致させる機能を有している。
【００２２】
このような構成の本実施形態では、ケース３とムーブメント４との特に厚さ方向に対する位置的な位相差を、弾性部材８の弾性変形およびスライダー９の動きで吸収し、許容できる。すなわち時計１に衝撃が加わり、ケース３とムーブメント４との間で厚さ方向の位置ずれが生じると、ムーブメント４と一体に位置ずれする巻真７は、竜頭軸６１および巻真パイプ１０を介して、弾性部材８の図１中の上側部分または下側部分を弾性変形させる。
【００２３】
そして、この弾性部材８の弾性変形に伴って、巻真パイプ１０と一体とされたスライダー９および竜頭６が時計１の厚さ方向にスライドし（図１中の２点鎖線参照）、このことにより位置ずれが許容される。従って、位置ずれにより巻真７に作用する剪断方向の外力が軽減されることから、巻真７が折れるのを防止できる。
【００２４】
以上の本実施形態によれば、以下の効果がある。
すなわち、時計１では、巻真７の竜頭６が取り付けられた端部側は、竜頭軸６１、巻真パイプ１０、および弾性部材８を介してケース３の胴３５に支持されているので、ケース３に外力が作用した場合には、ケース３とムーブメント４との間で生じる位置ずれを弾性部材８が弾性変形することで許容できる。従って、巻真７では、ケース３とムーブメント４との位置ずれにより生じる剪断応力を軽減でき、折れるのを確実に防止できて、耐衝撃性を格段に向上させることができる。
【００２５】
また、時計１によれば、外部に配置されたスライダー９と胴３５との対向面９Ａ，３５Ａ間にパッキン９１が介装されているので、スライダー９を摺動自在に設けた本実施形態でも、対向面９Ａ，３５Ａ間を確実にシールでき、防水性を確保できる。
【００２６】
さらに、スライダー９がケース３の外部に設けられているので、ムーブメント４がケース３内で位置ずれし、その位置ずれが弾性部材８の復元力によっても回復されない場合には、位置がずれたままであることをケース３に対する竜頭６の位置ずれだけでなく、スライダー９の位置ずれとしても外部から視認でき、時計１のメンテナンスを促すことができる。
【００２７】
そして、スライダー９には、摺動量を規制する段差部９３が設けられているため、スライダー９が嵌合溝３８から抜けるのを確実に防止できる。
【００２８】
［第２実施形態］
図４は、本発明の第２実施形態に係る時計１の要部を示す断面図である。
図４に示すように、胴３５の貫通孔３６の外方側部分は、外側に向けて大きく開口した大径部３９になっている。この大径部３９は、胴３５にねじ４１によって固定された閉塞部材４２で塞がれている。従って、閉塞部材４２は、図５、図６に示すように、胴３５に設けられた嵌合溝３８に嵌合しているが、この嵌合溝３８にはガイド片が設けられておらず、摺動することはない。
【００２９】
大径部３９内において、巻真パイプ１０には、シール面形成部材としての円形ブロック１１の挿通孔１４が圧入等により貫挿されている。円形ブロック１１と大径部３９の内表面との間、および円形ブロック１１と閉塞部材４２との間、つまり互いの対向面１１Ａ，３９Ａ，４２Ａ間はそれぞれ、円形ブロック１１の係合溝１２に係合したパッキン１３によってシールされている。そして、円形ブロック１１と大径部３９との間には環状の弾性部材８が介装されている。
【００３０】
閉塞部材４２には、巻真パイプ１０および竜頭軸６１が挿通される挿通孔４３が設けられている。挿通孔４３の内径寸法は、挿通された巻真パイプ１０の外形寸法よりも十分に大きい。挿通孔４３の内径寸法はまた、竜頭６の外形寸法よりも小さく、互いの軸中心が一致している時、挿通孔４３は竜頭６によって外観上隠される。
【００３１】
本実施形態においては、時計１に衝撃が加わり、ケース３とムーブメント４との間で位置ずれが生じると、ムーブメント４と一体に位置ずれする巻真７は、竜頭軸６１および巻真パイプ１０の他、円形ブロック１１を介して、弾性部材８の図４中の上側部分または下側部分を弾性変形させ、位置ずれが許容される。
【００３２】
この際、弾性部材８の弾性変形に伴って、竜頭６や巻真パイプ１０も巻真７と共に位置ずれするが、閉塞部材４２の挿通孔４３の径寸法が十分大きいことで、それらの位置ずれが阻害されることはない。従って、本実施形態でも、位置ずれによる巻真７への剪断方向の外力を軽減でき、剪断応力も抑制できる。
【００３３】
本実施形態によれば、前記第１実施形態と同様な効果が得られるうえ、以下の効果がある。すなわち閉塞部材４２の挿通孔４３は、巻真パイプ１０周りに均等な隙間を形成しているため、時計１の厚さ方向のみならず、時計１の周方向の位置ずれにも対応できる。なお、挿通穴４３を所定方向に長い長孔としてもよく、このような場合には、長孔の長手方向に沿った位置ずれのみが許容されることになる。
【００３４】
また、円形ブロック１１がケース３内部に配置されていることから、円形ブロック１１とケース３側との対向面１１Ａ，３９Ａ，４２Ａ間をシールするパッキン１３も内部配置となるので、対向面１１Ａ，３９Ａ，４２Ａに汚れ等を付着しにくくでき、シール性を良好に維持できる。
【００３５】
［第３実施形態］
図７に示す第３実施形態では、円形ブロック１１の片面側にのみパッキン１３を設け、円形ブロック１１と大径部３９の内側面との間でシールした。その他の構成については、第２実施形態と略同じである。
このような本実施形態でも、第２実施形態と略同様な効果を得ることができる。
【００３６】
［第４実施形態］
図８に示す第４実施形態では、第２実施形態でのパッキン１３を弾性部材８に一体に形成した。従って、本実施形態での弾性部材８は、円形ブロック１１に設けられた係合溝１２に係合している。
このような本実施形態でも、第２実施形態と略同様な効果を得ることができるうえ、弾性部材８とは別体のパッキン１３を不要にでき、部品点数を低減できるという効果がある。
【００３７】
なお、本発明は、前述した各実施形態に限定されるものではなく、本発明の目的を達成できる範囲での種々の変形は、本発明に含まれる。
例えば、環状とされた弾性部材の断面形状は、前記各実施形態に限定されず、図９（Ａ）〜（Ｈ）に示す断面形状を採用できる。要するに、その断面形状は、ケース３とムーブメント４との位置ずれ時に容易に変形可能であればよく、任意である。
【００３８】
具体的に（Ａ）では断面円形状とされ、（Ｂ）では断面半長孔形状とされ、（Ｃ）では断面門形状（アーチ形状）とされ、（Ｄ）では周方向に沿って複数の角型開口部８２を有した形状とされている。さらに、（Ｅ）では内周面および外周面のそれぞれに、周方向に連続した複数の溝８３を有した形状とされ、（Ｆ）では断面波形状とされ、（Ｇ）では断面四角中空形状とされ、（Ｈ）では断面円形中空形状とされている。
【００３９】
また、前記第２実施形態では、巻真パイプ１０が円形ブロック１１に挿通され、円形ブロック１１の外周側に弾性部材８が設けられていたが、このような円形ブロック１１を省略し、円形ブロック１１やこれに係合されているパッキン１３に相当する形状部分全体を弾性部材８にて形成してもよい。
【００４０】
前記第１実施形態では、スライダー９が時計１の厚さ方向にスライドする構成であったが、胴３５の周方向、あるいは胴３５の外周面に対して接線方向（厚さ方向に対して直交する方向での接線方向のことである）に摺動する構成でもよく、またスライダー９が嵌合する嵌合溝３８やガイド片３８Ａを設けることなく、スライダー９を竜頭６周りの全方向に向けて摺動させる構成としてもよい。
【符号の説明】
【００４１】
１…時計、３…ケース、４…ムーブメント、６…竜頭、７…巻真、８…弾性部材、９…シール面形成部材であるスライダー、９Ａ，１１Ａ，３５Ａ，３９Ａ，４２Ａ…対向面、１０…筒状部材である巻真パイプ、１１…シール面形成部材である円形ブロック、１３，９１…パッキン。
【図１】
2010249716.tif 000003
【図２】
2010249716.tif 000004
【図３】
2010249716.tif 000005
【図４】
2010249716.tif 000006
【図５】
2010249716.tif 000007
【図６】
2010249716.tif 000008
【図７】
2010249716.tif 000009
【図８】
2010249716.tif 000010
【図９】
2010249716.tif 000011